(57)【要約】      （修正有）【課題】抜き屑を抜くための抜き孔等を基板に形成する加工を例えばカッターナイフ等を用いて容易に行うことができるとともに、物理的強度を確保しつつ安価に製作することができ、かつ廃棄処分に適し容易にリサイクルに供することができ、しかも基板を破損させることなく容易に組み立てることができる打抜き屑除去雌型を提供する。【解決手段】打抜き加工後の材料シートから抜き屑を抜き出して除去する際に材料シートにおける抜き屑となる部分以外の部分を支える基板２と、この基板２を支持する脚部材３と、基板２と脚部材３とを締結する締結具４とを備える打抜き屑除去雌型１において、基板２は、紙製で板状のハニカムコア５を中間層としてその中間層の表裏両面に板面を形成する紙製シート６を貼り合せてなるものとし、締結具４の締付量を規制するカラー部材を設ける。【選択図】図１
2020097110.tif 000002
【特許請求の範囲】
【請求項１】
打抜き加工が施されることによって製品となる部分と除去すべき抜き屑となる部分との間に切り込みが形成された材料シートから前記抜き屑を抜き出して除去する際に前記材料シートにおける前記抜き屑となる部分以外の部分を支える基板と、この基板を支持する脚部材と、前記基板と前記脚部材とを締結する締結具とを備える打抜き屑除去雌型において、
前記基板は、紙製で板状のハニカムコアを中間層としてその中間層の表裏両面に板面を形成する紙製シートを貼り合せてなるものとし、前記締結具の締付量を規制する締付量規制部材を設けることを特徴とする打抜き屑除去雌型。
【発明の詳細な説明】
【技術分野】
【０００１】
本発明は、段ボール、板紙などの材料シートを打抜いて紙器などのブランクを製作するに際して、抜き屑となる部分を除去するのに用いて好適な打抜き屑除去雌型に関するものである。
【背景技術】
【０００２】
例えば段ボール、板紙などの材料シートを打ち抜いて紙器などのブランクを製作する際には、まず、材料シートに対し所要の形状の打抜き製品（ブランク）を得るための打抜き加工が行われる。この打抜き加工では、製品となる部分と除去すべき抜き屑となる部分との間に切り込みが形成される。なお、抜き屑となる部分が大きい場合には、製品となる部分と抜き屑となる部分とが、適当な間隔で設けられる細幅の繋ぎ部で接続され、抜き屑となる部分が小さい場合には、抜き屑となる部分とその周辺部位との引っ掛かりによって打抜き箇所にそのまま留め置かれる。
【０００３】
上記の打抜き加工が行われた後、材料シートから抜き屑となる部分を除去する打抜き屑除去工程が行われる。この打抜き屑除去工程では、打抜き屑除去雄型（上型）と、打抜き屑除去雌型（下型）との間に材料シートを配し、下型に対し上型を下降させることにより、上型に装備された打抜き屑除去具で抜き屑となる部分を材料シートから突き落すようにしている（特許文献１〜３参照）。
【先行技術文献】
【特許文献】
【０００４】
【特許文献１】特開２００１−３００８９７号公報
【特許文献２】特開２００４−１７１８９号公報
【特許文献３】登録実用新案第３１８３６２７号公報
【０００５】
一般に、打抜き屑除去雌型は、材料シートにおける抜き屑となる部分以外の部分を支える基板と、当該打抜き屑除去雌型を打抜き屑除去装置に装着した際に基板を所定位置で支持する脚部材と、これら基板と脚部材とを締結する締結具とを備えて構成されている。
【０００６】
ところで、従来の打抜き屑除去雌型における基板は、物理的強度に優れるが比較的高価な合板を構成材料として用い、基板に抜き屑を抜くための抜き孔等を形成する加工は、レーザ切断装置を用いてレーザ光による熱切断によって行われている。このため、材料費と加工費とが嵩み、ロット数が少ない場合、安価に製作することができず、小ロット生産に対応できないという問題点がある。
【発明の概要】
【発明が解決しようとする課題】
【０００７】
本発明は、前述のような問題点に鑑みてなされたもので、抜き屑を抜くための抜き孔等を基板に形成する加工を例えばカッターナイフ等を用いて容易に行うことができるとともに、物理的強度を確保しつつ安価に製作することができ、かつ廃棄処分に適し容易にリサイクルに供することができ、しかも基板を破損させることなく容易に組み立てることができる打抜き屑除去雌型を提供することを目的とするものである。
【課題を解決するための手段】
【０００８】
前記目的を達成するために、本発明による打抜き屑除去雌型は、
打抜き加工が施されることによって製品となる部分と除去すべき抜き屑となる部分との間に切り込みが形成された材料シートから前記抜き屑を抜き出して除去する際に前記材料シートにおける前記抜き屑となる部分以外の部分を支える基板と、この基板を支持する脚部材と、前記基板と前記脚部材とを締結する締結具とを備える打抜き屑除去雌型において、
前記基板は、紙製で板状のハニカムコアを中間層としてその中間層の表裏両面に板面を形成する紙製シートを貼り合せてなるものとし、前記締結具の締付量を規制する締付量規制部材を設けることを特徴とするものである。
【発明の効果】
【０００９】
本発明の打抜き屑除去雌型によれば、材料シートにおける抜き屑以外の部分を支える基板が、紙製で板状のハニカムコアを中間層としてその中間層の表裏両面に板面を形成する紙製シートを貼り合せてなるものとされるので、抜き屑を抜くための抜き孔等を基板に形成する加工を例えばカッターナイフ等を用いて容易に行うことができるとともに、物理的強度を確保しつつ材料費も低く抑えることができて安価に製作することができ、かつ廃棄処分に適し容易にリサイクルに供することができる。また、基板と脚部材とを締結する締結具の締付量を規制する締付量規制部材が設けられるので、締付量が過剰になるのを気にすることなく締付操作を行うことができ、締付量規制部材によって所定の締付量に規制されることで基板に過剰な締付力が作用することがなくなり、基板を破損させることなく容易に組み立てることができる。したがって、本発明の打抜き屑除去雌型は、小ロット生産に対応可能なものとなる。
【図面の簡単な説明】
【００１０】
【図１】本発明の一実施形態に係る打抜き屑除去雌型を示す図で、（ａ）は平面図、（ｂ）は正面図、（ｃ）は底面図である。
【図２】ハニカムコアの断面を例示する図である。
【図３】図１（ｂ）のＡ部拡大図である。
【図４】図３のＢ−Ｂ線断面図で、（ａ）は締付量規制部材としてカラー部材を使用した態様図、（ｂ）は締付量規制部材として爪付きナットのナット部を使用した態様図である。
【発明を実施するための形態】
【００１１】
次に、本発明による打抜き屑除去雌型の具体的な実施の形態について、図面を参照しつつ説明する。
【００１２】
＜打抜き屑除去雌型の概略説明＞
図１（ａ）〜（ｃ）に示される打抜き屑除去雌型１は、打抜き加工が施されることによって製品となる部分と除去すべき抜き屑となる部分との間に切り込みが形成された材料シートから抜き屑を抜き出して除去する際に材料シートにおける抜き屑となる部分以外の部分を支える基板２と、この基板２を支持する一対の脚部材３と、基板２と脚部材３とを締結する締結具４とを備えて構成されている。
【００１３】
＜基板の説明＞
基板２は、紙製で板状のハニカムコア５を中間層としてその中間層の表裏両面に板面を形成する紙製シート６を貼り合せてなり、上下方向に板面を臨ませて配されている。基板２には、除去されるべき抜き屑となる部分が抜き通るような所要の抜き孔７が所定位置に設けられている。
【００１４】
ここで、板状のハニカムコア５とは、無数の筒状部が外周方向へ隣り合わせに形成され、板面と平行な断面がハニカム状に構成される板状部材であって、筒状部が貫通しているものに限られず、表裏が閉塞されたものも含まれる。このように、基板２の構成材として、紙製のハニカムコア５と紙製シート６とで構成される所謂ペーパハニカムボードを用いることにより、物理的強度を確保しつつ安価かつ軽量にすることができる。
【００１５】
ハニカムコア５としては、本実施形態で採用している三角形が集合した断面のものに限られず、円が集合した断面のもの（図２（ａ）および（ｂ）参照）、コルゲート状の断面であるもの（図２（ｃ）および（ｄ）参照）、六角形が集合した断面であるもの（図２（ｅ）参照）等が含まれる。
【００１６】
ハニカムコア５は、筒状部を構成している面が、表裏両面に貼着される紙製シート６の面と垂直になっていればよいのであって、必ずしも一つ一つの筒状部がくっつき合っている必要はなく、ばらばらに存在していても、ブロック状に存在していても構わない。また、筒状部の大きさ、形状がばらばらであってもよいし、単に折れ曲がった帯状体が帯面の任意の点で接着し合った形状であってもよいが、強度の高い基板２を得るためには、一つ一つの筒状部の大きさ、形状が等しく、また緻密にくっつきあっていることが好ましい。さらに、一つ一つの筒状部は微細なものであってもよいし、大きなものであってもよいが、基板２の強度を高め、紙製シート６との接着性を良好にするためには、各筒状部の底面積を小さくし、各筒状部を形成している材料の厚みを大きくすることが好ましい。
【００１７】
＜脚部材の説明＞
図３に示されるように、脚部材３は、基板２の下側板面と接触される長辺フランジ部１１と、長辺フランジ部１１と対向する短辺フランジ部１２と、これらフランジ部１１，１２と直角を成すようにそれらフランジ部１１，１２の一端部同士を繋ぐウェブ部１３と、長辺フランジ部１１、短辺フランジ部１２およびウェブ部１３で区画される開口部１４とを有している。本実施形態において、脚部材３としては、長辺フランジ部１１、短辺フランジ部１２およびウェブ部１３が連続するように一体成形される例えばアルミニウム素材や鉄素材等の片長、不等辺の断面コの字型チャンネル材を採用している。一対の脚部材３は、互いの開口部１４を外側に向けて所定間隔で平行に配置されている（図１（ｂ）および（ｃ）参照）。
【００１８】
＜締結具の説明＞
図４（ａ）に示されるように、締結具４は、爪付きナット２１と、蝶ボルト２２とにより構成されている。
【００１９】
爪付きナット２１は、脚部材３の長辺フランジ部１１が接触される基板２の所定部位に対応するように所定配置で所要個数だけ基板２に埋め込まれている。この爪付きナット２１は、円筒状のナット部２１ａと、ナット部２１ａの一端側に一体的に設けられるフランジ部２１ｂと、ナット部２１ａの回りに所定配置で並ぶようにブランジ部２１ｂから突設される複数（４つ）の爪部２１ｃとを有し、複数の爪部２１ｃを基板２の上板面側から基板２の内部に食い込ませて蝶ボルト２２の締付時に供回りしないように締付力に対する反力を基板２に確保することができるようになっている。
【００２０】
蝶ボルト２２は、雄ねじが切られた軸部２２ａと、蝶の羽根のような形状の蝶形頭部２２ｂとが軸方向に一体的に連設されてなり、軸部２２ａが脚部材３の長辺フランジ部１１を貫通し、軸部２２ａの雄ねじが爪付きナット２１のナット部２１ａに螺合し、蝶形頭部２２ｂが脚部材３の長辺フランジ部１１に当接している。蝶形頭部２２ｂを手指で摘まんで手動操作により、基板２と脚部材３とを締結したり、締結を解除したりすることができる。
【００２１】
＜規制部材の説明＞
図４（ａ）に示されるように、爪付きナット２１の高さ寸法Ｈが基板２の厚み寸法Ｔよりも小さい場合は、爪付きナット２１のナット部２１ａと脚部材３の長辺フランジ部１１との間に隙間が生じ、締結具４を締め付ける前からナット部２１ａが長辺フランジ部１１に当接されないので、蝶ボルト２２を締め付けると、ナット部２１ａが長辺フランジ部１１に突き当たるまで、フランジ部２１ｂと長辺フランジ部１１との間に、基板２を押し潰すような圧搾力が働き、基板２を破損させる恐れがある。このような不具合を未然に防ぐために、爪付きナット２１のフランジ部２１ｂと脚部材３の長辺フランジ部１１との間に、爪付きナット２１のナット部２１ａに外嵌・装着可能な円筒状のカラー部材２５が配設され、当該カラー部材２５が締結具４の締付量を規制する締付量規制部材として機能する。
【００２２】
カラー部材２５においては、当該カラー部材２５の一端を爪付きナット２１のフランジ部２１ｂに突き当てた状態で、当該カラー部材２５の他端から、基板２の上板面と面一となるフランジ部２１ｂの端面までの距離Ｌが、基板２の厚み寸法Ｔと同等となるように、カラー部材２５の長さ寸法が決められ、カラー部材２５が脚部材３の長辺フランジ部１１に締結具４を締め付ける前から当接するようにされている。
【００２３】
なお、図４（ｂ）に示されるように、爪付きナット２１の高さ寸法Ｈ´が基板２の厚み寸法Ｔと同じ場合は、爪付きナット２１のナット部２１ａ´が脚部材３の長辺フランジ部１１に締結具４を締め付ける前から当接されるので、当該ナット部２１ａ´が締結具４の締付量を規制する締付量規制部材として機能する。
【００２４】
以上に述べたような本実施形態の打抜き屑除去雌型１によれば、材料シートにおける抜き屑以外の部分を支える基板２が、紙製で板状のハニカムコア５を中間層としてその中間層の表裏両面に板面を形成する紙製シート６を貼り合せてなるものとされるので、抜き屑を抜くための抜き孔７等を基板２に形成する加工を例えばカッターナイフ等を用いて容易に行うことができるとともに、物理的強度を確保しつつ材料費も低く抑えることができて安価に製作することができ、かつ廃棄処分に適し容易にリサイクルに供することができる。また、基板２と脚部材３とを締結する締結具４の締付量を規制するカラー部材２５が設けられるので、締付量が過剰になるのを気にすることなく締付操作を行うことができ、カラー部材２５によって所定の締付量に規制されることで基板２に過剰な締付力が作用することがなくなり、基板２を破損させることなく容易に組み立てることができる。したがって、本実施形態の打抜き屑除去雌型１は、小ロット生産に対応可能なものとなる。
【００２５】
以上、本発明の打抜き屑除去雌型について、一実施形態に基づいて説明したが、本発明は上記実施形態に記載した構成に限定されるものではなく、その趣旨を逸脱しない範囲において適宜その構成を変更することができるものである。
【産業上の利用可能性】
【００２６】
本発明の打抜き屑除去雌型は、抜き屑を抜くための抜き孔等を基板に形成する加工を例えばカッターナイフ等を用いて容易に行うことができるとともに、物理的強度を確保しつつ安価に製作することができ、かつ廃棄処分に適し容易にリサイクルに供することができ、しかも基板を破損させることなく容易に組み立てることができるという特性を有していることから、多品種、小ロット生産向きの打抜き屑除去雌型の用途に好適に用いることができる。産業上の利用可能性が大である。
【符号の説明】
【００２７】
１    打抜き屑除去雌型
２    基板
３    脚部材
４    締結具
５    ハニカムコア
６    紙製シート
２１  爪付きナット
２２  蝶ボルト
２５  カラー部材（締付量規制部材）
【図１】
2020097110.tif 000003
【図２】
2020097110.tif 000004
【図３】
2020097110.tif 000005
【図４】
2020097110.tif 000006